(57)【要約】      （修正有）【課題】構成が簡単で、耐久性に優れた防草シートを提供する。【解決手段】方形の合成樹脂製のシート部材１１に開口部２０となる複数の正方形の領域２０ａを想定し、各領域２０ａにおいて内部の一点２１から放射状に複数本の切り込み線２２ａ、２２ｂ、２２ｃ、２２ｄを形成し、それぞれの領域において２本の隣り合う切り込み線の端点を結ぶ線分を底辺２４とし、一点２１を頂点とした三角形状をなす切片部２３ａ、２３ｂ、２３ｃ、２３ｄを複数形成し、切片部２３ａ、２３ｂ、２３ｃ、２３ｄを、底辺を折り線としてシート部材の一方側面に折り込んで開口部２０を形成し、切片部が折り込まれた状態において、底辺の近傍においてシート部材にステープラー針２６ａ、２６ｂ、２６ｃ、２６ｄを固定し、シート部材１１の端縁部に棒状部材を配置して土中への固定部を形成する。【選択図】図１
0003206711.tif 000002
【実用新案登録請求の範囲】
【請求項１】
方形の合成樹脂製のシート部材に開口部となる複数の領域を想定し、
各領域において前記領域の内部の一点から放射状に複数本の切り込み線を形成し、
各領域において２本の隣会う前記切り込み線の端点を結ぶ線分を底辺とし、前記一点が頂点である三角形状をなす切片部を複数形成し、
各切片部を、前記底辺を折り線として前記シート部材の一方側面に折り込んで前記開口部を形成し、
前記切片部が折り込まれた状態において、前記切片部を前記底辺の近傍において前記シート部材に固定したことを特徴とする防草シート。
【請求項２】
前記開口部は四角形であることを特徴とする請求項１に記載の防草シート。
【請求項３】
前記シート部材の端縁部には、前記端縁部に巻き込まれて保持された棒状部材を備え、この端縁部を土中に埋め込んだ状態とすることで前記端縁部を前記土中に固定する固定部を設けたことを特徴とする請求項１又は請求項２に記載の防草シート。
【請求項４】
前記切片部は、ステープラー針で固定されていることを特徴とする請求項１から請求項３までのいずれか一項に記載の防草シート。
【請求項５】
前記シート部材は網状であり、通気性と保水性を備えることを特徴とする請求項１から請求項４までのいずれか一項に記載の防草シート。
【請求項６】
前記開口部より小さい小開口部が形成され前記シート部材の下側に配置されることで、前記小開口部が前記開口部の領域内に配置可能である中敷シート部材を備えることを特徴とする請求項１から請求項５までのいずれか一項に記載の防草シート。
【請求項７】
前記防草シートのシート部材には、２列に前記開口部が開設され、前記中敷シート部材は、前記防草シートに形成された２列の開口部に対応した位置に複数の小開口部を開設可能な断続した切れ目部が形成されると共に、前記中敷シート部材には隣会う前記切れ目部の中間位置に中敷シート部材を切り離し可能とする分離線部が形成され、前記分離線部から前記中敷シート部材を切り裂くことにより、前記切れ目部を含む前記中敷シート部材の一部分を前記防草シートのシート部材の下側に折り込み、前記分離線部を前記開口部の外側に配置可能としたことを特徴とする請求項６に記載の防草シート。
【考案の詳細な説明】
【技術分野】
【０００１】
本考案は、植生した作物の周囲に雑草が繁茂するのを防止する防草シートに関する。
【背景技術】
【０００２】
従来、圃場において作物の周囲に雑草の発生を防止する防草シートとして、合成樹脂製の黒色ビニールシートが使用される。この防草シートを使用するには、圃場にこの防草シートを張り、この防草シートの作物を植える箇所に穴を開けて土壌を露出して、この露出した土壌に植物の苗木等を植える。これにより、苗木等の周囲のおける雑草の繁茂を防止できる。
【０００３】
また、特許文献１には、雑草の繁茂を防止する技術として、表面及び裏面を有するマット体と、そのマット体の表面から上方に延び出るように当該マット体に一体形成された少なくとも１つの可撓性の筒状部とを備え、マット体のうち、筒状部によって取り囲まれた筒状部の内側領域が、植生植物を土壌に植生するための植生部を提供すると共に、筒状部の外側領域が、土壌表面を被覆して土壌表面から雑草が伸び出るのを防止するための非植生部とし、防草マットを土壌表面に敷設した際、筒状部を植生部内に折り込んでマット体の裏面側に反転突出させることにより、土壌中に植生空間を確保するものが記載されている。
【特許文献１】特開２０１２−１６１２７６号公報
【考案の開示】
【考案が解決しようとする課題】
【０００４】
しかし、上述した従来の防草シートは、耐久性に乏しく、一回の使用にしか耐えず、次回には新たな防草シートを使用する必要がある。即ち、従来の防草シートは、特に穴を開けた部分が裂けやすく再度使用することができない。
【０００５】
また、特許文献１に記載のものは、マット体に筒状部を設ける等の加工を施す必要があり、製造に手間と費用がかかるという問題がある。
【０００６】
本考案は、上述した課題に鑑みてなされたものであり、構成が簡単で、耐久性に優れた防草シートを提供することを目的とする。
【課題を解決するための手段】
【０００７】
前記課題を解決する請求項１に記載の考案は、方形の合成樹脂製のシート部材に開口部となる複数の領域を想定し、各領域において前記領域の内部の一点から放射状に複数本の切り込み線を形成し、各領域において２本の隣会う前記切り込み線の端点を結ぶ線分を底辺とし、前記一点が頂点である三角形状をなす切片部を複数形成し、各切片部を、前記底辺を折り線として前記シート部材の一方側面に折り込んで前記開口部を形成し、前記切片部が折り込まれた状態において、前記切片部を前記底辺の近傍において前記シート部材に固定したことを特徴とする防草シートである。
本考案によれば、防草シートの開口部の周縁は、切片部の近傍がシート部材に固定された状態として補強されており、充分な強度を備える。また、開口部も切り込み線を形成し、切片部を折り返して固定するだけで形成することができる。よって、防草シートは、構成が簡単であり容易に作ることができ、しかも開口部の周囲が補強されているため耐久性に富む。
【０００８】
同じく請求項２に記載の考案は、前記開口部は四角形であることを特徴とする。
本考案によれば、四角形の内部から放射状に４本の切り込み線を形成することで開口部を形成できる。よって、開口部をより簡単に形成できる。
【０００９】
同じく請求項３に記載の考案は、前記シート部材の端縁部には、前記端縁部に巻き込まれて保持された棒状部材を備え、この端縁部を土中に埋め込んだ状態とすることで前記端縁部を前記土中に固定する固定部を設けたことを特徴とする。
本考案によれば、防草シートは、棒状部材を端縁部に巻き込んで形成した固定部を備える。これにより、防草シートの端縁部を土中に固定でき、防草シート内部に土壌を入れ込み防草シートの設置箇所を盛り上げることができ、隣会う圃場の境界、圃場と通路との境界を明確に画定することができる。
【００１０】
同じく請求項４に記載の考案は、前記切片部は、ステープラー針で固定されていることを特徴とする。
本考案によれば、切片部をステープラーにより簡単に固定できる。よって、防草シートを容易に作ることができる。
【００１１】
同じく請求項５に記載の考案は、前記シート部材は網状であり、通気性と保水性を備えることを特徴とする。
本考案によれば、シート部材は網状で通気性と保水性を備える。このため、植生した植物への酸素供給及び給水を良好なものとできる。
【００１２】
同じく請求項６に記載の考案は、前記開口部より小さい小開口部が形成され前記シート部材の下側に配置されることで、前記小開口部が前記開口部の領域内に配置可能である中敷シート部材を備えることを特徴とする。
本考案によれば、中敷シート部材をシート部材の下側に配置することにより、シート部材に形成された開口部の内側に小開口部を配置することができる。よって、開口部に対して小さな苗木等を植生する場合でも、苗木等の周囲に土壌が露出することがなく、充分な防草効果を発揮できる。
【００１３】
同じく請求項７に記載の考案は、前記防草シートのシート部材には、２列に前記開口部が開設され、前記中敷シート部材は、前記防草シートに形成された２列の開口部に対応した位置に複数の小開口部を開設可能な断続した切れ目部が形成されると共に、前記中敷シート部材には隣会う前記切れ目部の中間位置に中敷シート部材を切り離し可能とする分離線部が形成され、前記分離線部から前記中敷シート部材を切り裂くことにより、前記切れ目部を含む前記中敷シート部材の一部分を前記防草シートのシート部材の下側に折り込み、前記分離線部を前記開口部の外側に配置可能としたことを特徴とする。
本考案によれば、開口部が２列に配置されたシート部材の下側に中敷シート部材を配置して、それぞれの開口部に小開口部を開設できる切れ目部を配置できる。また、中敷シート部材を配置した場合、開口部に小開口部を配置しない箇所については、分離線部から中敷シート部材を切り離し切れ目部を含む中敷シート部材の一部をシート部材の下側に折り込むことにより、開口部の全領域から土壌を露出させた状態とすることができる。よって、２列に開口部が形成された一枚のシート部材と、これに対応する中敷シート部材を使用することで、所望の箇所に開口部及び小開口部を配置できる。
【考案の効果】
【００１４】
本考案に係る考案によれば、構成が簡単で、耐久性に優れた防草シートを提供できる。
【００１５】
即ち、請求項１に係る防草シートによれば、作物が植えられる開口部の周縁は、切片部の近傍がシート部材に固定された状態として補強されており、充分な強度を備え、開口部も切り込み線を形成し、切片部を折り返して固定するだけで形成することができるので、防草シートは、構成が簡単であり容易に作ることができ、しかも開口部の周囲が補強されているため、防草シートを耐久性に富むものとできる。
【００１６】
また、請求項２に係る防草シートによれば、四角形の対角線に沿って２本の切り込み線を形成することで開口部を形成できるので、開口部をより簡単に形成でき、防草シートを容易に作ることができる。
【００１７】
また、請求項３に係る防草シートによれば、防草シートの端縁部を土中に固定でき、防草シート内部に土壌を入れ込み防草シートの設置箇所を盛り上げることができるので、隣会う圃場の境界、圃場と通路との境界を明確に画定することができる。
【００１８】
また、請求項４に係る防草シートによれば、切片部を、ステープラーを用いて簡単に固定できるので、防草シートを容易に作ることができる。
【００１９】
また、請求項５に係る防草シートによれば、シート部材は網状で通気性と保水性を備える。このため、植生した植物への酸素供給及び給水を良好なものとできる。
【００２０】
また、請求項６に係る防草シートによれば、中敷シート部材をシート部材の下側に配置することにより、シート部材に形成された開口部の内側に小開口部を配置することができ、開口部に対して小さな苗木等を植生する場合でも、苗木等の周囲に土壌が露出することがなく、充分な防草効果を発揮できる。
【００２１】
また、請求項７に係る防草シートによれば、開口部が２列に配置されたシート部材の下側に中敷シート部材を配置して、それぞれの開口部に小開口部を開設できる切れ目部を配置できるとともに、中敷シート部材を配置した場合において、開口部に小開口部を配置しない箇所については、分離線部から中敷シート部材を切り離し切れ目部を含む中敷シート部材の一部をシート部材の下側に折り込むことにより、開口部の全領域から土壌を露出させた状態とすることができる。よって、２列に開口部が形成された一枚のシート部材と、これに対応する中敷シート部材を使用することで、所望の箇所に開口部及び小開口部を配置できる。
【図面の簡単な説明】
【００２２】
【図１】本考案の第１実施形態に係る防草シートの製造過程を示すものであり、（Ａ）は製作過程を示す模式図、（Ｂ）は開口部を拡大して示す模式図である。
【図２】同防草シートを示すものであり、（ａ）は平面模式図、（ｂ）は周縁部の拡大模式図である。
【図３】同防草シートの使用状態を示す図２中のＡ−Ａ線に相当する断面図である。
【図４】本考案の第２実施形態を示すものであり、（ａ）は防草シートの使用状態を示す模式図、（ｂ）は同防草シートの使用状態を示す（ａ）中のＢ−Ｂ線に相当する断面図である。
【図５】本考案の第３実施形態を示すものであり、（ａ）は中敷シート部材を示す模式図、（ｂ）は中敷シート部材を使用した場合における防草シートの使用状態を示す模式図、（ｃ）は中敷シート部材を使用した場合における防草シートの使用状態を示す（ｂ）中のＣ−Ｃ線に相当する断面図である。
【考案を実施するための最良の形態】
【００２３】
本考案を実施するための形態に係る防草シートについて説明する。
＜実施形態１＞
図１は本考案の第１実施形態に係る防草シートの製造過程を示すものであり、（Ａ）は製作過程を示す模式図、（Ｂ）は開口部を拡大して示す模式図、図２は同防草シートを示すものであり、（ａ）は平面模式図、（ｂ）は周縁部の拡大模式図で、図３は同防草シートの使用状態を示す図２中のＡ−Ａ線に相当する断面図である。
【００２４】
図２（Ａ）に示すように、実施形態に係る防草シート１０は、方形の合成樹脂製のシート部材１１に８箇所の開口部２０を形成して構成する。防草シート１０を構成するシート部材１１は、市販の合成樹樹脂製の防草シートであり、合成樹脂製の糸で網状に編まれた部材である。この市販の防草シートは、通気性と保水性を備える。シート部材１１は、例えば幅１.５ｍ、長さ１０ｍ、厚さ０．４ｍｍである。例えば日本農業システムの「ｎｏｕオリジナル国産防草シートを使用できる。なお、このシート部材１１の大きさ、開口部２０の数は、圃場の広さ、作物の種類等により適宜変更できる。
【００２５】
本実施形態では、開口部２０を開設するものとして２００ｍｍ×２００ｍｍの正方形の領域２０ａを想定する（図１（Ａ）（ａ）参照）。この正方形の領域２０ａにおいて内部の中央である一点２１から放射状に複数本、この例では４本の切り込み線２２ａ、２２ｂ、２２ｃ、２２ｄを電気こてで溶解しつつ切り込んで形成する。この例では想定した領域２０ａは正方形であるので、切り込み線２２ａ、２２ｂ、２２ｃ、２２ｄは正方形である領域２０ａの対角線上に形成される。これにより、正方形の領域２０ａにおいて２本の隣会う切り込み線の端点を結ぶ線分を底辺２４とし、一点２１を頂点とする三角形状をなす切片部２３ａが形成される（同（ｂ）参照）。次いでこの切片部２３ａを、底辺２４を折り線としてシート部材の使用時に裏面（土壌側）となる一方側面に折り返す（同（ｃ）参照）。
【００２６】
更に、図１（Ａ）（ｅ）及び図１（Ｂ）に示すように、この切片部２３ａを高さ方向の半分の折り線２７ａで折り返し、この折り線２７ａの内側においてステープラー針２６ａで固定する（同図（Ａ）（ｆ）参照）。切片部２３ａを折り線２７ａで折り返すことにより、シートが重なった位置においてステープラー針３５で強固に固定できる。領域２０ａの他の各辺についても同様に切片部２３ｂ、２３ｃ、２３ｄを折り込み、ステープラー針２６ｂ、２６ｃ、２６ｄで固定し、開口部２０を形成する。なお、切片を折り返すとき、切片が三つ折りにすると、ステープラー針３５での固定箇所においてシートが四重になり、より強固に固定でき、開口部２０の形状が良好になると共に、開口部２０の周囲にしわが発生しにくくなる。
【００２７】
本実施形態に係る防草シート１０によれば、圃場の土壌は植生された苗木Ｐの周囲において開口部２０だけで露出される。このため、肥料、石灰、農薬等を苗木Ｐの周囲の土壌に集中して散布でき、肥料等の無駄な使用が防止できる。
【００２８】
また、本実施形態によれば、作物が植生される開口部２０の周縁は、切片部２３ｂ、２３ｃ、２３ｄの近傍がシート部材にステープラー針２６ｂ、２６ｃ、２６ｄで固定された状態として補強されているので、充分な強度を備え、耐久性に富むものとして、連続して使用できる。更に、開口部２０は、切り込み線２２ａ、２２ｂ、２２ｃ、２２ｄを形成して、切片部２３ａ、２３ｂ、２３ｃ、２３ｄを折り返して固定するだけで形成することができる。このため、防草シートは、構成が簡単であり容易に作ることができる。
【００２９】
また、本実施形態に係る防草シートによれば、開口を正方形としているので、切り込み線２２ａ、２２ｂ、２２ｃ、２２ｄの位置を容易に決定でき、簡単に切り込みを入れることができる。更に、切片部を、ステープラー針を用いて簡単に固定できるので、防草シートを容易に作ることができる。
【００３０】
本実施形態に係る防草シート１０では、図２（ａ）及び図３に示すように、シート部材１１の４辺をなす端縁部１２ａ、１２ｂ、１２ｃ、１２ｄに、棒状部材３１、３２、３３、３４を配置して固定部３０を形成する。棒状部材３１、３２、３３、３４は、防草シート１０の端縁部１２ａ、１２ｂ、１２ｃ、１２ｄに巻き込まれて保持される。棒状部材３１、３２、３３、３４は、木材、金属、合成樹脂等で形成される。この棒状部材３１、３２、３３、３４は、図２（ｂ）に示すように、シート部材１１の端縁部１２ａ、１２ｂ、１２ｃ、１２ｄを折り返し、棒状部材３１、３２、３３、３４を巻き込み、例えば１０ｃｍ間隔でステープラー針を配置して固定することにより、端縁部１２ａ、１２ｂ、１２ｃ、１２ｄに配置する。そして、この端縁部に設けた固定部３０を、土中に埋め込んだ状態とすることで防草シート１０の端縁部１２ａ、１２ｂ、１２ｃ、１２ｄを土中に固定できる。
【００３１】
図３に示すように、固定部３０は、シャベル等で形成した溝に埋め込むことにより固定する。このとき、防草シート１０で覆われる被覆部分５１を一般部５０から盛り上がるように土壌を入れ込み、畝部を形成する。固定部３０を土中に固定することにより、防草シート１０の端縁部を土中に確実かつ長期にわたり崩れることなく固定できる。また、防草シート１０で囲われる被覆部分５１を盛り上げることで、隣会う畝部の境界や畝部と通路との境界を明確に画定することができる。
【００３２】
＜実施形態２＞
次に本考案の第２実施形態について説明する。図４は本考案の第２実施形態を示すものであり、（ａ）は防草シートの使用状態を示す模式図、（ｂ）は同防草シートの使用状態を示す（ａ）中のＢ−Ｂ線に相当する断面図である。
【００３３】
防草シート１０を使用するとき、開口部２０の大きさが植生する苗木Ｐに比して大きい場合がある。この場合、苗木Ｐの周囲に土壌が露出して雑草が繁茂する場合がある。本実施形態に係る防草シート１０Ａは、シート部材１１と、中敷シート部材６０とを備える。中敷シート部材６０は、シート部材１１の下側であって開口部２０に相当する位置に配置される。この中敷シート部材６０は、シート部材１１と同素材で形成された四角形状のシート部材であり、開口部２０よりやや大きく形成されている。また、中敷シート部材６０には、小さい苗木ｐの植生に適した大きさの小開口部６１が開設されている。小開口部６１は、開口部２０より小さく苗木ｐの周囲に土壌が露出しない大きさとする。これにより、露出した土壌から雑草が繁茂したり、降雨により土壌が流れ出したりすることを防止できる。
【００３４】
本実施形態に係る防草シート１０Ａによれば、中敷シート部材６０をシート部材１１の下側に配置することにより、シート部材１１に形成された開口部２０の内側に小開口部６１を配置することができ、開口部２０に対して小さな苗木等を植生する場合でも、苗木等の周囲に土壌が露出することがなく、充分な防草効果を発揮できる。
【００３５】
＜第３実施形態＞
次に本考案の第３実施形態について説明する。図５は本考案の第３実施形態を示すものであり、（ａ）は中敷シート部材を示す模式図、（ｂ）は中敷シート部材を使用した場合における防草シートの使用状態を示す模式図、（ｃ）は中敷シート部材を使用した場合における防草シートの使用状態を示す（ｂ）中のＣ−Ｃ線に相当する断面図である。
【００３６】
本実施形態に係る防草シート１０Ｂは、シート部材１１と、中敷シート部材７０とを備える。シート部材１１は、図５（ｂ）に示すように、長辺と短辺と備える長方形であり、長辺に沿って２列の開口部２０が形成されている。そして、シート部材１１の下には、中敷シート部材７０が配置されている。中敷シート部材７０は、シート部材１１よりやや小さい長方形のシート本体７１の小開口部８０を開設可能なコ字状の断続した切れ目部７２が形成されている。この切れ目部７２は例えばコ字状に形成されており、切れ目部７２に沿って中敷シート部材７０を切り裂くことで、小開口部８０を開設できる。切れ目部７２は、シート部材１１の開口部２０に相当する箇所に形成されている。なお、切れ目部７２の形状はコ字状に限らず、四角形状とすることができる。
【００３７】
また、中敷シート部材７０の各切れ目部７２の間には、中敷シート部材７０の長辺から中央部に向けて断続的な分離線部７３が形成されている。この分離線部７３から中敷シート部材７０を切り裂くことで、特定の分離線部７３を含む中敷シート部材７０の領域を、シート部材１１の下側において中央に向けて折り込み、切れ目部７２を含む領域が開口部２０の下方に配置されない状態にできる。図５（ｂ）、（ｃ）の領域Ｄにおいて、中敷シート部材７０の一部をシート部材１１の下方（土壌側）において、長辺側から中央に折り込み（符号７４）、シート部材１１の開口部２０の全域で土壌が露出されるようにした状態を示している。同図（ｂ）において、領域Ｅでは、開口部２０の内部に小開口部８０が配置され、小さい苗木ｐを植えるのに適する状態となっている。
【００３８】
このように、本実施形態に係る防草シート１０Ｂによれば、シート部材１１のそれぞれの開口部２０に小開口部８０を開設できる切れ目部７２を配置できるとともに、中敷シート部材７０を配置した場合において、開口部２０に小開口部８０を配置しない箇所については、分離線部７３から中敷シート部材７０を切り離し、切れ目部７２を含む中敷シート部材７０の一部をシート部材１１の下側に折り込むことができる。これにより、開口部２０の全領域から土壌を露出させた状態とすることができる。よって、所望の箇所に開口部２０及び小開口部８０を配置できる。
【産業上の利用可能性】
【００３９】
本考案に係る防草シートは、構成が簡単で、耐久性に優れたものであり、簡単に製造でき、複数年にわたり使用できるため、農業、家庭菜園等において有用であり産業上の利用できる。
【符号の説明】
【００４０】
１０：防草シート
１１：シート部材
１２ａ、１２ｂ、１２ｃ、１２ｄ：端縁部
２０：開口部
２０ａ：領域
２１：一点
２２ａ、２２ｂ、２２ｃ、２２ｄ：切り込み線
２３ａ、２３ｂ、２３ｃ、２３ｄ：切片部
２４：底辺
２６ａ、２６ｂ、２６ｃ、２６ｄ：ステープラー針
３０：固定部
３１、３２、３３、３４：棒状部材
５０：一般部
５１：被覆部分
６０：中敷シート部材
６１：小開口部
７０：中敷シート部材
７２：切れ目部
７３：分離線部
８０：小開口部
Ｐ、ｐ：苗木
【図１】
0003206711.tif 000003
【図２】
0003206711.tif 000004
【図３】
0003206711.tif 000005
【図４】
0003206711.tif 000006
【図５】
0003206711.tif 000007